(57)【要約】【課題】我が国では、出生の記念として、また、親子の絆の証として、子供のへその緒を保管する習慣がある。本発明の目的は、へその緒を大切に保管することができ且つへその緒とそれ以外の出生記録品の一元管理が可能なへその緒保管容器を提供することにある。【解決手段】へその緒を入れるためのへその緒専用容器２と、そのへその緒専用容器２を収めるスペースに加えてへその緒以外の出生記録品３を収めるスペースを設けた外容器４で構成し、外容器４の中に、へその緒を入れたへその緒専用容器２を収めると共に空いた空間に前記出生記録品３を収めるようにしたへその緒保管容器１を提供する。【選択図】　　　　図１
2004035075.tif 000002
【特許請求の範囲】
【請求項１】
へその緒を入れるためのへその緒専用容器と、そのへその緒専用容器を収めるスペースに加えてへその緒以外の出生記録品（以下単に出生記録品という。）を収めるスペースを設けた外容器で構成し、
外容器の中に、へその緒を入れたへその緒専用容器を収めると共に空いた空間に出生記録品を収めるようにしたことを特徴とするへその緒保管容器。
【請求項２】
前記へその緒専用容器は蓋付きの陶磁器製容器であることを特徴とする請求項１記載のへその緒保管容器。
【請求項３】
前記出生記録品には、少なくとも母子手帳を含むことを特徴とする請求項１又は２記載のへその緒保管容器。
【請求項４】
へその緒の主である子供が罹った病気を記録する病歴記録欄を有する請求項１乃至３の何れか一つに記載のへその緒保管容器。
【請求項５】
出生記録品を作成する旨の案内書と、へその緒の主である子供の少なくとも住所、氏名、性別、生年月日の記載を必須要件とする前記出生記録品の作成依頼書とを添付したことを特徴とする請求項１乃至４の何れか一つに記載のへその緒保管容器。
【発明の詳細な説明】
【０００１】
【発明の属する技術分野】
本発明は、へその緒を保管して親から子に受け渡すためのへその緒保管容器に関する。
【０００２】
【従来の技術】
我が国では、出生の記念として、また、親子の絆の証として、子供のへその緒を保管する習慣がある。通常、そのへその緒は、産院退院時にプラスチック製の小箱に入れた状態で手渡される場合が多い。
【０００３】
【発明が解決しようとする課題】
へその緒は一人に一つしかない貴重なものである。しかし、そのような貴重なものでもプラスチック製の小箱に入った状態であると、大切に扱う気持ちが薄れ、管理がおろそかになりやすい。その結果、貴重な出生記念品として保管するべきへその緒を失うおそれがある。
また、胎児の心音や出生直後の産声を録音したカセットテープ、出産直後の子供の写真、病院内において新生児を識別するために使用していた識別ベルト、等を出生記録品として退院時にプレゼントする病院があるが、それらの出生記録品と前記へその緒は一元管理するのが望ましい。
【０００４】
本発明は上記に鑑みなされたもので、その目的は、へその緒を大切に保管することができ且つへその緒とそれ以外の出生記録品の一元管理が可能なへその緒保管容器を提供することにある。
【０００５】
【課題を解決するための手段】
上記の目的を達成するため本発明は、へその緒を入れるためのへその緒専用容器と、そのへその緒専用容器を収めるスペースに加えてへその緒以外の出生記録品（以下単に出生記録品という。）を収めるスペースを設けた外容器で構成し、外容器の中に、へその緒を入れたへその緒専用容器を収めると共に空いた空間に出生記録品を収めるようにしたへその緒保管容器を提供する。
【０００６】
また、請求項２に記載したように前記へその緒専用容器は、蓋付きの陶磁器製容器にするのがよい。また、請求項３に記載したように前記出生記録品には、少なくとも母子手帳を含むのが望ましい。また、へその緒保管容器には、請求項４に記載したようにへその緒の主である子供が罹った病気を記録する病歴記録欄を設けるようにするのがよい。さらにまた好ましくは請求項５に記載したように、出生記録品を作成する旨の案内書と、へその緒の主である子供の少なくとも住所、氏名、性別、生年月日の記載を必須要件とする前記出生記録品の作成依頼書とを添付するとよい。
【０００７】
【発明の実施の形態】
以下に本発明の実施の形態を図面を参照しつつ説明する。なお、図１はへその緒保管容器の分解斜視図、図２はへその緒保管容器の斜視図、図３は展示状態を示す斜視図、図４は蓋の内面図である。
【０００８】
本発明のへその緒保管容器１は、図１に示したように、へその緒（図示せず）を入れるためのへその緒専用容器２と、そのへその緒専用容器２を収めるスペースに加えて出生記録品３を収めるスペースを設けた外容器４で構成する。
【０００９】
前記へその緒専用容器２は全体が陶磁器製であって、鉢状の本体２ａと、その本体２ａの上に着脱自在に載置した蓋２ｂとで構成され、前記本体２ａの中にへその緒を入れて蓋２ｂを閉じる。実施形態ではへその緒専用容器２の形状をハート形にしたが、もちろんどのような形状であってもよい。
【００１０】
外容器４は防腐性、防虫性に優れた桐材であって、上面が開口した四角い箱状体４ａの上に四角く平らな蓋板４ｂを被せて構成される。なお、図１，４中、符号４ｃ，４ｃは蓋板４ｂの内面に固着した位置決め用の角材である。また、箱状体４ａの上面の後方寄りの位置には蓋板４ｂの縁を噛み込ませる縦割溝４ｄ，４ｄが切り込まれていている。この縦割溝４ｄ，４ｄに蓋板４ｂの縁を噛み込ませれば、図３に示したように立て看板のごとくに蓋板４ｂを起立保持させることができる。従って後述のように蓋板４ｂの表面に子供の名前を記入しておけば、来客に子供の名前を披露する場合などに都合がよい。
【００１１】
箱状体４ａの大きさは、へその緒専用容器２を収めるスペースに、へその緒以外の出生記録品３を収めるスペースを加えたものである。図示した出生記録品３は周知の母子手帳である。母子手帳には、へその緒の主である子供の誕生から幼児期に至るまでの成長と健康の記録が細かに書き込まれており、出生記録品３として最も有用性が高い。なお、出生記録品３には母子手帳以外にも、胎児の心音や出生直後の産声を録音したカセットテープ、出産直後の子供の写真、病院内において新生児を識別するために使用していた識別ベルト、或いは前記カセットテープや写真の内容を記録したＣＤ−ＲＯＭ等がある。
【００１２】
前記外容器４の蓋板４ｂの表面には名前の記入欄を設けてそこにへその緒の主である子供の名前を記入する。一方、蓋板４ｂの内面には図４に示したように、へその緒の主である子供が罹った病気の情報を記録する病歴記録欄５が設けてある。この病歴記録欄５に病名と罹った日付をメモ感覚で記入しておくことにより、仮に母子手帳を紛失したとしても、どういう病気にいつ頃罹ったかが一見して判る。子供時代の病歴は、その子が大人になった時、伝染病に対する抗体の有無を判断する必要がある場合などに真価を発揮する。
【００１３】
なお、実施形態のへその緒保管容器１には、上記以外にもフリーボード６が付属している。このフリーボード６は無地の木板であり、墨で子供の手形や足形を残したり、親から子へのメッセージを記入したりするなど、その使い方は自由である。
【００１４】
さらにまた実施形態のへその緒保管容器１には、希望者に特別仕様の出生記録品を作成する旨の案内書７と、へその緒の主である子供の少なくとも住所、氏名、性別、生年月日の記載を必須要件とする前記出生記録品の作成依頼書８が二つ折りにした状態で添付されている。例えばこの場合の出生記録品は前記フリーボード６と同じ板に手形と生年月日と氏名を綺麗に印刷したものとし、それを有料（又は無料）で作成する旨を案内書７に記入しておく。このような案内書７と作成依頼書８（申込書）を本発明のへその緒保管容器１に添付しておけば、作成依頼書８を受領して出生記録品を作成した後、子供の住所、氏名、性別、生年月日の正確なデータベースが構築できる。通常、生後間もない子供のデータは入手困難であるが、このビジネス方法を使えば正確且つ容易に子供のデータが入手できる。
【００１５】
以上本発明を実施の形態について説明したが、もちろん本発明は上記実施形態に限定されるものではない。例えば実施形態では病歴記録欄５を蓋板４ｂの内面に形成したが、外容器４のどの場所に設けてもよい。また、病歴記録欄５は陶磁器製のへその緒専用容器２の蓋２ｂの内面に設けるようにしてもよい。そうすれば、仮に火事でへその緒保管容器１が焼失したとしても、へその緒専用容器２の蓋２ｂの内面に書き込んだ病歴記録欄５は消えずに残る。また、病歴記録欄５は前記したフリーボード６のような板を使って別途作成してもよい。この場合板の素材として耐火性のものを選択すれば、万一火災にあっても病歴の記録は残る。また、実施形態の外容器４は桐材で形成したが、その材質は特に限定されない。
【００１６】
【発明の効果】
本発明のへその緒保管容器は、へその緒を入れるためのへその緒専用容器をさらに外容器で保護することで、へその緒が貴重なものであるという意識を高めることができる。また、へその緒専用容器のみでは小さすぎて紛失の可能性があるものの、それを外容器に入れることで保管に適した大きさになるから、へその緒を紛失させる可能性が激減する。その上、へその緒と他の出生記録品を一元管理することで、へその緒保管容器の魅力が増すため、結果的にへその緒の保管率が飛躍的に増大する。
【００１７】
また、請求項２に記載のへその緒保管容器は外容器の中に陶磁器製のへその緒専用容器を収め、そのへその緒専用容器の中にへその緒を保管するようにしたため、へその緒の保存性が頗るよい。また、母子手帳は子供が成長して大人になったときにも有用性を発揮するから、請求項３のように出生記録品には少なくとも母子手帳を含ませておくのがよい。また、請求項４のようにへその緒の主である子供が罹った病気を記録する病歴記録欄を設けておけば、仮に母子手帳を紛失しても病歴の記録は残る。
【００１８】
また、請求項５のように、出生記録品を作成する旨の案内書と、へその緒の主である子供の少なくとも住所、氏名、性別、生年月日の記載を必須要件とする前記出生記録品の作成依頼書とを添付しておけば、生後間もない子供の正確なデータベースが構築でき、そのデータベースを活用すればさらなるビジネス展開が可能になる。
【図面の簡単な説明】
【図１】へその緒保管容器の分解斜視図である。
【図２】へその緒保管容器の斜視図である。
【図３】展示状態を示す斜視図である。
【図４】蓋の内面図である。
【符号の説明】
１　…へその緒保管容器
２　…へその緒専用容器
３　…へその緒以外の出生記録品（母子手帳）
４　…外容器
５　…病歴記録欄
７　…案内書
８　…作成依頼書
【図１】
2004035075.tif 000003
【図２】
2004035075.tif 000004
【図３】
2004035075.tif 000005
【図４】
2004035075.tif 000006